(57)【要約】【課題】ダイオードのショート故障が発生した場合に、ＬＥＤが点灯不可となるのを回避可能なＬＥＤ駆動装置を提供する。【解決手段】ＤＣ／ＤＣコンバータ２０は、非同期整流型の昇圧チョッパ回路である。スイッチング素子Ｑ２は、駆動装置５０内に設けられ、ＬＥＤ列１０の一部のＬＥＤ１２に並列に接続される。スイッチング素子Ｑ２は、ＳＢＤ２６のショート故障が発生していない場合にはオフである。コントローラ７０は、ＳＢＤ２６のショート故障が発生した場合に、スイッチング素子Ｑ１をオフにするとともにスイッチング素子Ｑ２をオンにする。【選択図】図１
2020198242.tif 000002
【特許請求の範囲】
【請求項１】
直列接続された複数のＬＥＤへ電力を供給するように構成されたＤＣ／ＤＣコンバータと、
前記ＤＣ／ＤＣコンバータを駆動するように構成された駆動装置とを備え、
前記ＤＣ／ＤＣコンバータは、コイルと第１のスイッチング素子とダイオードとを含んで構成される非同期整流型の昇圧チョッパ回路であり、さらに、
前記複数のＬＥＤの一部に並列に接続される第２のスイッチング素子を備え、
前記第２のスイッチング素子は、前記ダイオードのショート故障が発生していない場合にはオフであり、
前記駆動装置は、前記ショート故障が発生した場合に、前記第１のスイッチング素子をオフにするとともに前記第２のスイッチング素子をオンにする、ＬＥＤ駆動装置。
【請求項２】
前記複数のＬＥＤの一部は、前記複数のＬＥＤのうち最下流のＬＥＤを含む、請求項１に記載のＬＥＤ駆動装置。
【請求項３】
前記複数のＬＥＤの一部は、前記複数のＬＥＤのうち最上流のＬＥＤを含む、請求項１に記載のＬＥＤ駆動装置。
【請求項４】
前記第２のスイッチング素子は、前記駆動装置内に設けられる、請求項１から請求項３のいずれか１項に記載のＬＥＤ駆動装置。
【請求項５】
前記第１のスイッチング素子のドレイン電圧若しくはドレイン電流、又は前記ダイオードに流れる電流を検出するように構成された検出器をさらに備え、
前記駆動装置は、前記検出器の出力に基づいて、前記ショート故障が発生しているか否かを判定する、請求項１から請求項４のいずれか１項に記載のＬＥＤ駆動装置。
【請求項６】
前記ダイオードは、ショットキーバリアダイオードである、請求項１から請求項５のいずれか１項に記載のＬＥＤ駆動装置。
【請求項７】
請求項１から請求項６のいずれか１項に記載のＬＥＤ駆動装置と、
前記ＬＥＤ駆動装置によって駆動される、直列接続された複数のＬＥＤとを備える表示装置。
【請求項８】
ＬＥＤ駆動装置の制御装置であって、
前記ＬＥＤ駆動装置は、直列接続された複数のＬＥＤへ電力を供給するように構成されたＤＣ／ＤＣコンバータを含み、
前記ＤＣ／ＤＣコンバータは、コイルと第１のスイッチング素子とダイオードとを含んで構成される非同期整流型の昇圧チョッパ回路であり、
前記制御装置は、
前記複数のＬＥＤの一部に並列に接続される第２のスイッチング素子と、
コントローラとを備え、
前記第２のスイッチング素子は、前記ダイオードのショート故障が発生していない場合にはオフであり、
前記コントローラは、前記ショート故障が発生した場合に、前記第１のスイッチング素子をオフにするとともに前記第２のスイッチング素子をオンにするように構成される、ＬＥＤ駆動装置の制御装置。
【発明の詳細な説明】
【技術分野】
【０００１】
本開示は、ＬＥＤ駆動装置及びそれを備える表示装置、並びにＬＥＤ駆動装置の制御装置に関する。
【背景技術】
【０００２】
省エネルギ光源としてのＬＥＤ（Light  Emitting  Diode）の用途が近年ますます拡大している。ＬＥＤの駆動には、ＬＥＤの順方向電圧−電流特性と発光特性とから、ＬＥＤに定電流を供給するためのＬＥＤドライバが用いられる。
【０００３】
たとえば、特開２０１８−１９４９８号公報（特許文献１）には、スイッチング電源回路を用いたＬＥＤドライバが開示されている。このＬＥＤドライバは、ＬＥＤへ電流を供給するＤＣ／ＤＣコンバータと、ＬＥＤに流れる電流を調整するカレントドライバとを含む。ＤＣ／ＤＣコンバータは、コイルとスイッチング素子とダイオードとを含む非同期整流型のチョッパ回路によって構成される。このような構成により、高効率（低損失）でＬＥＤを駆動することができる（特許文献１参照）。
【先行技術文献】
【特許文献】
【０００４】
【特許文献１】特開２０１８−１９４９８号公報
【発明の概要】
【発明が解決しようとする課題】
【０００５】
ＤＣ／ＤＣコンバータを構成するチョッパ回路が昇圧型の場合、チョッパ回路を構成するダイオードのショート故障が発生すると、以下のような問題が発生する。すなわち、スイッチング素子がオンしたときに、出力側のキャパシタに蓄えられた電力が、ショート故障したダイオードを通じてスイッチング素子へ流れる。これにより、スイッチング素子がＡＳＯ（Area  of  Safe  Operation）破壊を起こす可能性があるとともに、ＬＥＤは不点灯となる。このような問題について、上記の特許文献１では特に検討されていない。
【０００６】
本開示は、かかる問題を解決するためになされたものであり、その目的は、ダイオードのショート故障が発生した場合に、ＬＥＤが点灯不可となるのを回避可能なＬＥＤ駆動装置及びそれを備える表示装置、並びにＬＥＤ駆動装置の制御装置を提供することである。
【課題を解決するための手段】
【０００７】
本開示のＬＥＤ駆動装置は、直列接続された複数のＬＥＤへ電力を供給するように構成されたＤＣ／ＤＣコンバータと、ＤＣ／ＤＣコンバータを駆動するように構成された駆動装置とを備える。ＤＣ／ＤＣコンバータは、コイルと第１のスイッチング素子とダイオードとを含んで構成される非同期整流型の昇圧チョッパ回路である。ＬＥＤ駆動装置は、複数のＬＥＤの一部に並列に接続される第２のスイッチング素子をさらに備える。第２のスイッチング素子は、ダイオードのショート故障が発生していない場合にはオフである。駆動装置は、ショート故障が発生した場合に、第１のスイッチング素子をオフにするとともに第２のスイッチング素子をオンにする。
【０００８】
上記のＬＥＤ駆動装置においては、ＤＣ／ＤＣコンバータのダイオードのショート故障が発生すると、第１のスイッチング素子がオフになる。これにより、ＤＣ／ＤＣコンバータの昇圧機能は失われるけれども、ＤＣ／ＤＣコンバータから複数のＬＥＤに向けて電力を出力することが可能となる。ここで、第２のスイッチング素子はオンになるので、複数のＬＥＤの一部は点灯しなくなるけれども、残余のＬＥＤによるトータルの順方向電圧は小さくなる。これにより、上記の残余のＬＥＤに電流が流れ、ＬＥＤを点灯させることができる。
【０００９】
第２のスイッチング素子が並列接続される一部のＬＥＤは、複数のＬＥＤのうち最下流のＬＥＤを含むようにしてもよい。
【００１０】
或いは、第２のスイッチング素子が並列接続される一部のＬＥＤは、複数のＬＥＤのうち最上流のＬＥＤを含むようにしてもよい。
【００１１】
第２のスイッチング素子は、駆動装置内に設けられてもよい。
ＬＥＤ駆動装置は、第１のスイッチング素子のドレイン電圧若しくはドレイン電流、又はダイオードに流れる電流を検出するように構成された検出器をさらに備えてもよい。そして、駆動装置は、検出器の出力に基づいて、ショート故障が発生しているか否かを判定してもよい。
【００１２】
上記のダイオードは、ショットキーバリアダイオードであってもよい。
また、本開示の表示装置は、上述したいずれかのＬＥＤ駆動装置と、ＬＥＤ駆動装置によって駆動される、直列接続された複数のＬＥＤとを備える。
【００１３】
また、本開示の制御装置は、ＬＥＤ駆動装置の制御装置である。ＬＥＤ駆動装置は、直列接続された複数のＬＥＤへ電力を供給するように構成されたＤＣ／ＤＣコンバータを含む。ＤＣ／ＤＣコンバータは、コイルと第１のスイッチング素子とダイオードとを含んで構成される非同期整流型の昇圧チョッパ回路である。そして、制御装置は、複数のＬＥＤの一部に並列に接続される第２のスイッチング素子と、コントローラとを備える。第２のスイッチング素子は、ダイオードのショート故障が発生していない場合にはオフである。コントローラは、ショート故障が発生した場合に、第１のスイッチング素子をオフにするとともに第２のスイッチング素子をオンにするように構成される。
【発明の効果】
【００１４】
本開示のＬＥＤ駆動装置及び表示装置、並びにＬＥＤ駆動装置の制御装置によれば、ＤＣ／ＤＣコンバータにおいてダイオードのショート故障が発生した場合に、ＬＥＤが点灯不可となるのを回避することができる。
【図面の簡単な説明】
【００１５】
【図１】本開示の実施の形態に従うＬＥＤドライバを用いた表示装置の全体構成を示す図である。
【図２】図１に示すＬＥＤドライバの動作例を概略的に示すタイミングチャートである。
【図３】コントローラにより実行される処理の手順の一例を示すフローチャートである。
【図４】変形例に従うＬＥＤドライバを用いた表示装置の全体構成を示す図である。
【発明を実施するための形態】
【００１６】
以下、本開示の実施の形態について、図面を参照しながら詳細に説明する。なお、図中同一又は相当部分には同一符号を付してその説明は繰り返さない。
【００１７】
＜ＬＥＤドライバの構成＞
図１は、本開示の実施の形態に従うＬＥＤドライバを用いた表示装置の全体構成を示す図である。図１を参照して、表示装置１は、ＬＥＤ列１０と、ＤＣ／ＤＣコンバータ２０と、駆動装置５０とを備える。ＤＣ／ＤＣコンバータ２０及び駆動装置５０は、ＬＥＤ列１０を駆動するＬＥＤドライバを構成する。
【００１８】
ＬＥＤ列１０は、直列接続された複数のＬＥＤ１２を含む。この例では、４つよりも多い複数のＬＥＤ１２を含む１列のＬＥＤ列１０が示されているが、ＬＥＤ列の数は複数であってもよく、各ＬＥＤ列に含まれるＬＥＤ１２の数は４つ以下であってもよい。
【００１９】
ＤＣ／ＤＣコンバータ２０は、電源ノード２２と、コイル２４と、スイッチング素子Ｑ１と、ダイオード２６と、キャパシタ２８とを含んで構成される。コイル２４は、電源ノード２２とスイッチング素子Ｑ１との間に接続される。スイッチング素子Ｑ１は、コイル２４と接地ノードとの間に接続される。スイッチング素子Ｑ１のゲートは、駆動装置５０の外部端子Ｔ２に接続されている。この例では、スイッチング素子Ｑ１は、Ｎ型ＭＯＳＦＥＴ（Metal  Oxide  Semiconductor  Field  Effect  Transistor）であるが、ＮＰＮ型バイポーラトランジスタ等であってもよい。
【００２０】
ダイオード２６は、コイル２４とスイッチング素子Ｑ１との接続点にアノードが接続され、ＬＥＤ列１０のアノード側にカソードが接続される。この例では、ダイオード２６は、ショットキーバリアダイオード（以下「ＳＢＤ（Schottky  Barrier  Diode）」と称する。）である。ＳＢＤは、順方向電圧が小さいため、順方向の損失が小さく高効率であり、また、スイッチングが高速である。なお、ダイオード２６がＳＢＤであることは必須ではなく、ＳＢＤ以外のダイオードを採用することも可能である。キャパシタ２８は、ＳＢＤ２６のカソードが接続される電力線と接地ノードとの間に接続される。
【００２１】
これらの電源ノード２２、コイル２４、スイッチング素子Ｑ１、ＳＢＤ２６、及びキャパシタ２８によって、いわゆる非同期整流型の昇圧チョッパ回路が形成されている。駆動装置５０によってスイッチング素子Ｑ１がスイッチング制御され、電源ノード２２から供給される電力が昇圧されてＬＥＤ列１０へ供給される。
【００２２】
駆動装置５０は、カレントドライバ６０と、コントローラ７０と、スイッチング素子Ｑ２と、検出器８０とを含む。駆動装置５０は、たとえば、これらの各要素を集積化したＩＣ（Integrated  Circuit）として構成される。駆動装置５０は、外部の要素と電気的に接続するための外部端子Ｔ１〜Ｔ５をさらに備えている。
【００２３】
カレントドライバ６０は、スイッチング素子６２と、抵抗素子６４と、エラーアンプ６６とを含む。スイッチング素子６２は、ＬＥＤ列１０のカソード側が接続される外部端子Ｔ５と抵抗素子６４との間に接続される。この例では、スイッチング素子６２は、Ｎ型ＭＯＳＦＥＴであるが、ＮＰＮ型バイポーラトランジスタ等であってもよい。抵抗素子６４は、スイッチング素子６２と接地ノードとの間に接続される。
【００２４】
スイッチング素子６２と抵抗素子６４との接続点は、エラーアンプ６６の反転入力端（−）に接続される。エラーアンプ６６の非反転入力端（＋）には、基準電圧Ｖｒｅｆが与えられる。エラーアンプ６６の出力端は、スイッチング素子６２のゲートに接続される。
【００２５】
エラーアンプ６６の反転入力端（−）には、スイッチング素子６２に流れる電流（すなわちＬＥＤ列１０に流れる電流）を抵抗素子６４によって電圧に変換した検出信号（電圧）が入力される。エラーアンプ６６の非反転入力端（＋）に入力される基準電圧Ｖｒｅｆは、ＬＥＤ列１０に流れる電流の目標値を抵抗素子６４の抵抗値によって電圧に変換した信号である。
【００２６】
エラーアンプ６６は、基準電圧Ｖｒｅｆと上記検出信号（電圧）との差分を増幅した信号をスイッチング素子６２のゲートへ出力することでスイッチング素子６２を駆動する。これにより、スイッチング素子６２に流れる電流、すなわちＬＥＤ列１０に流れる電流が、基準電圧Ｖｒｅｆに対応する電流目標値に調整される。なお、カレントドライバ６０は、ＩＣの外部に設けられてもよい。
【００２７】
コントローラ７０は、外部端子Ｔ５から入力される電圧Ｖｆｂ（ＬＥＤ列１０のカソード側の電圧）を受け、電圧Ｖｆｂに基づいてＤＣ／ＤＣコンバータ２０を駆動する。具体的には、コントローラ７０は、エラーアンプと、ＰＷＭ（Pulse  Width  Modulation）回路とを含んで構成される（いずれも図示せず）。エラーアンプは、電圧Ｖｆｂが所定値（たとえば０．５Ｖ）となるように、電圧Ｖｆｂと所定値との差を増幅して出力する。ＰＷＭ回路は、エラーアンプの出力に基づいてＰＷＭ信号を生成し、その生成されたＰＷＭ信号をスイッチング素子Ｑ１のゲートが接続される外部端子Ｔ２へ出力する。
【００２８】
なお、コントローラ７０は、ハードウェア（電子回路）で実行するものに限られず、ソフトウェアで実行するもので構成されてもよい。具体的には、コントローラ７０を、ＣＰＵ（Central  Processing  Unit）、メモリ（ＲＯＭ（Read  Only  Memory）及びＲＡＭ（Random  Access  Memory））、各種信号を入出力するための入出力バッファ等を含んで構成してもよい。ＣＰＵは、ＲＯＭに格納されているプログラムをＲＡＭ等に展開して実行する。ＲＯＭに格納されるプログラムは、コントローラ７０の処理手順が記されたプログラムである。そして、コントローラ７０は、このプログラムに従って各種処理を実行するように構成されてもよい。
【００２９】
このＬＥＤドライバでは、カレントドライバ６０により、ＬＥＤ列１０に流れる電流が基準電圧Ｖｒｅｆに対応する電流目標値に調整される。また、ＬＥＤ列１０のカソード側の電圧Ｖｆｂが所定値となるように、電圧Ｖｆｂに基づいてコントローラ７０によりＤＣ／ＤＣコンバータ２０が駆動される。これにより、ＬＥＤ列１０に流れる電流が目標に制御される。
【００３０】
＜ＳＢＤ２６のショート故障＞
ＤＣ／ＤＣコンバータ２０において、ＳＢＤ２６のショート故障が発生すると、スイッチング素子Ｑ１がオンしたときに、キャパシタ２８に蓄えられた電力が、ショート故障したＳＢＤ２６を通じてスイッチング素子Ｑ１へ流れる。これにより、スイッチング素子Ｑ１がＡＳＯ破壊を起こす可能性があるとともに、ＬＥＤ列１０は不点灯となる。
【００３１】
そこで、本実施の形態に従うＬＥＤドライバでは、ＬＥＤ列１０の一部に並列に接続されるスイッチング素子Ｑ２が設けられる。スイッチング素子Ｑ２は、駆動装置５０内に設けられ、コントローラ７０によって駆動される。この例では、スイッチング素子Ｑ２は、複数のＬＥＤ１２のうち最下流のＬＥＤ１２を含む２つのＬＥＤ１２に並列に接続されているが、スイッチング素子Ｑ２が並列接続されるＬＥＤ１２の数は、１つでもよいし、３つ以上であってもよい。また、この例では、スイッチング素子Ｑ２は、Ｎ型ＭＯＳＦＥＴであるが、ＮＰＮ型バイポーラトランジスタ等であってもよい。
【００３２】
そして、コントローラ７０は、ＳＢＤ２６のショート故障が発生していない場合は、スイッチング素子Ｑ２をオフにする。ＳＢＤ２６のショート故障が発生すると、コントローラ７０は、スイッチング素子Ｑ１をオフにするとともに、スイッチング素子Ｑ２をオンにする。
【００３３】
ＳＢＤ２６のショート故障が発生した場合に、スイッチング素子Ｑ１がオフされることにより、ＤＣ／ＤＣコンバータ２０の昇圧機能は失われるけれども、ＤＣ／ＤＣコンバータ２０からＬＥＤ列１０に向けて電力を出力することが可能となる。
【００３４】
そして、ＳＢＤ２６のショート故障が発生した場合に、スイッチング素子Ｑ２がオンされることにより、スイッチング素子Ｑ２が並列接続されるＬＥＤ１２（この例では２つ）は点灯しなくなるけれども、残余のＬＥＤ１２によるＬＥＤ列１０の順方向電圧は小さくなる。これにより、ＬＥＤ列１０へ電流が流れ、スイッチング素子Ｑ２が並列接続されるＬＥＤ１２を除く残余のＬＥＤ１２を点灯させることができる。
【００３５】
なお、スイッチング素子Ｑ２をいくつのＬＥＤ１２に並列接続するかは、スイッチング素子Ｑ１をオフにしてＤＣ／ＤＣコンバータ２０を使用するときのＤＣ／ＤＣコンバータ２０の出力電圧、各ＬＥＤ１２の特性（順方向電圧等）、ＬＥＤ列１０のカソード側の電圧Ｖｆｂの調整値等に基づいて適宜決定される。
【００３６】
ＳＢＤ２６のショート故障は、検出器８０の検出値に基づいて判定される。検出器８０は、スイッチング素子Ｑ１のドレインが接続される外部端子Ｔ１に接続され、スイッチング素子Ｑ１のドレイン電圧Ｖｄを検出する。コントローラ７０は、電圧Ｖｄの検出値を検出器８０から受け、スイッチング素子Ｑ１のオン中に電圧Ｖｄが十分に低下しない場合に、ＳＢＤ２６にショート故障が発生したものと判定する。
【００３７】
なお、この例では、スイッチング素子Ｑ１のドレイン電圧ＶｄによってＳＢＤ２６のショート故障が発生したか否かを判定するものとしたが、電圧Ｖｄに代えて、スイッチング素子Ｑ１のドレイン電流、又はＳＢＤ２６に流れる電流を検出器によって検出し、その検出値によってＳＢＤ２６のショート故障を判定してもよい。具体的には、スイッチング素子Ｑ１のオン時に、スイッチング素子Ｑ１のドレイン電流の異常上昇がみられる場合、又はＳＢＤ２６に逆方向の電流が流れた場合に、ＳＢＤ２６のショート故障が発生したものと判定することができる。
【００３８】
図２は、図１に示したＬＥＤドライバの動作例を概略的に示すタイミングチャートである。図２を参照して、スイッチング素子Ｑ１のオン／オフに応じてスイッチング素子Ｑ１のドレイン電圧Ｖｄが変動し、スイッチング素子Ｑ１のオン時に電圧Ｖｄが低下する。
【００３９】
時刻ｔ１において、ＳＢＤ２６のショート故障が発生したものとする。ショート故障の発生前は、スイッチング素子Ｑ１がオンすると、電圧Ｖｄはしきい値Ｖｔｈよりも低いレベル（たとえば０．１Ｖ程度）まで低下する。なお、ショート故障が発生していない時刻ｔ１以前は、スイッチング素子Ｑ２はオフされている。
【００４０】
時刻ｔ１においてＳＢＤ２６のショート故障が発生し、その後時刻ｔ２においてスイッチング素子Ｑ１がオンになると、ＳＢＤ２６のカソード側のキャパシタ２８からショート故障したＳＢＤ２６を通じてスイッチング素子Ｑ１へ電流が流れる。これにより、スイッチング素子Ｑ１には、最大定格を超える電流が流れ込み、その結果、電圧Ｖｄがしきい値Ｖｔｈのレベルまで低下しなくなる。
【００４１】
そして、スイッチング素子Ｑ１のオン中に電圧Ｖｄがしきい値Ｖｔｈよりも高い（電圧Ｖｄがしきい値Ｖｔｈ以下に低下しない）ことにより、ＳＢＤ２６のショート故障が発生したものと判定され、時刻ｔ３において、ショート故障フラグがオンになる。このショート故障フラグは、ＳＢＤ２６の修理（交換等）によりショート故障が解消するまでオンのままである。
【００４２】
ショート故障フラグがオンになると、ＬＥＤドライバは、故障モードで作動する。すなわち、スイッチング素子Ｑ１がオフされ、スイッチング素子Ｑ２がオンされる。この状態は、ショート故障フラグがオフされるまで、すなわちＳＢＤ２６の修理（交換等）によりショート故障が解消するまで継続される。これにより、ＳＢＤ２６のショート故障によってＬＥＤ列１０が不点灯になるのを回避することができる。
【００４３】
図３は、コントローラ７０により実行される処理の手順の一例を示すフローチャートである。このフローチャートに示される一連の処理は、所定周期毎に繰り返し実行される。
【００４４】
図３を参照して、コントローラ７０は、ＳＢＤ２６のショート故障フラグがオンであるか否かを判定する（ステップＳ１０）。ショート故障フラグがオンであるときは（ステップＳ１０においてＹＥＳ）、コントローラ７０は、ステップＳ５０（後述）へ処理を移行する。
【００４５】
ステップＳ１０においてショート故障フラグがオフであると判定されると（ステップＳ１０においてＮＯ）、コントローラ７０は、スイッチング素子Ｑ１のオン中にスイッチング素子Ｑ１のドレイン電圧Ｖｄがしきい値Ｖｔｈよりも高いか否かを判定する（ステップＳ２０）。なお、電圧Ｖｄは、検出器８０（図１）により検出される。
【００４６】
ステップＳ２０において、スイッチング素子Ｑ１のオン中に電圧Ｖｄがしきい値Ｖｔｈ以下に低下したと判定されると（ステップＳ２０においてＮＯ）、ＳＢＤ２６のショート故障は発生しておらず、コントローラ７０は、スイッチング素子Ｑ２をオフにする（ステップＳ３０）。なお、スイッチング素子Ｑ１は、電圧Ｖｆｂに基づいてスイッチング駆動される。
【００４７】
一方、ステップＳ２０において、スイッチング素子Ｑ１のオン中に電圧Ｖｄがしきい値Ｖｔｈよりも高い（電圧Ｖｄがしきい値Ｖｔｈ以下まで低下しない）と判定されると（ステップＳ２０においてＹＥＳ）、コントローラ７０は、ＳＢＤ２６のショート故障が発生したものと判断し、ショート故障フラグをオンにする（ステップＳ４０）。
【００４８】
ショート故障フラグがオンになると、コントローラ７０は、スイッチング素子Ｑ１をオフにするとともに、スイッチング素子Ｑ２をオンにする（ステップＳ５０）。これにより、ショート故障が発生していない場合に比べて点灯するＬＥＤ１２の数は少ないけれども、ＬＥＤ列１０を点灯させることができる。
【００４９】
以上のように、この実施の形態においては、ＳＢＤ２６のショート故障が発生すると、スイッチング素子Ｑ１がオフにされる。これにより、ＤＣ／ＤＣコンバータ２０の昇圧機能は失われるけれども、ＤＣ／ＤＣコンバータ２０からＬＥＤ列１０に向けて電力を出力することが可能となる。そして、スイッチング素子Ｑ２はオンにされるので、ＬＥＤ列１０の一部は点灯しなくなるけれども、残余のＬＥＤ１２によるＬＥＤ列１０の順方向電圧は小さくなる。これにより、ＬＥＤ列１０へ電流が流れ、スイッチング素子Ｑ２が並列接続されるＬＥＤ１２を除く残余のＬＥＤ１２を点灯させることができる。
【００５０】
なお、上記の実施の形態では、ＳＢＤ２６のショート故障が発生した場合に、ＬＥＤ列１０の下流側のＬＥＤ１２にスイッチング素子Ｑ２を並列に接続するものとしたが、ＬＥＤ列１０の上流側のＬＥＤ１２にスイッチング素子を並列に接続してもよい。
【００５１】
図４は、そのような変形例に従うＬＥＤドライバを用いた表示装置の全体構成を示す図である。図４を参照して、この表示装置１Ａは、図１に示した表示装置１において、駆動装置５０に代えて駆動装置５０Ａを備える。駆動装置５０Ａは、駆動装置５０において、スイッチング素子Ｑ２に代えてスイッチング素子Ｑ３を含む。
【００５２】
スイッチング素子Ｑ３も、スイッチング素子Ｑ２と同様に、駆動装置５０内に設けられ、コントローラ７０によって駆動される。そして、スイッチング素子Ｑ３は、複数のＬＥＤ１２のうち最上流のＬＥＤ１２を含む２つのＬＥＤ１２に並列に接続される。なお、スイッチング素子Ｑ３が並列接続されるＬＥＤ１２の数は、１つでもよいし、３つ以上であってもよい。また、この例では、スイッチング素子Ｑ３は、Ｐ型ＭＯＳＦＥＴであるが、ＰＮＰ型バイポーラトランジスタ等であってもよい。
【００５３】
このような構成によっても、上記の実施の形態と同様の効果が得られる。
また、上記の実施の形態及び図４に示した変形例では、ＬＥＤ列１０は１列としたが、ＬＥＤ列１０が複数並設されてもよい。この場合、ＬＥＤ列１０毎にスイッチング素子Ｑ２又はＱ３が設けられ、各ＬＥＤ列１０において、他のＬＥＤ列１０と同じ位置のＬＥＤ１２にスイッチング素子Ｑ２又はＱ３が並列に接続される。
【００５４】
なお、上記の表示装置１（１Ａ）は、たとえば、液晶ディスプレイ（ＬＣＤ：Liquid  Crystal  Display）の光源に適用することができ、特に、車両の運転状況等をドライバに表示する車載ディスプレイの光源に好適である。上記の表示装置１（１Ａ）によれば、ＳＢＤ２６のショート故障が発生しても、車載ディスプレイが完全に消灯してしまうのを防止し、リンプホーム走行を行なうことができる。
【００５５】
今回開示された実施の形態は、全ての点で例示であって制限的なものではないと考えられるべきである。本発明の範囲は、上記した実施の形態の説明ではなくて特許請求の範囲によって示され、特許請求の範囲と均等の意味及び範囲内での全ての変更が含まれることが意図される。
【符号の説明】
【００５６】
１，１Ａ  表示装置、１０  ＬＥＤ列、２０  ＤＣ／ＤＣコンバータ、２２  電源ノード、２４  コイル、２６  ＳＢＤ、２８  キャパシタ、５０，５０Ａ  駆動装置、６０  カレントドライバ、６２，Ｑ１，Ｑ２，Ｑ３  スイッチング素子、６４  抵抗素子、６６  エラーアンプ、７０  コントローラ、８０  検出器、Ｔ１〜Ｔ５  外部端子。 
【図１】
2020198242.tif 000003
【図２】
2020198242.tif 000004
【図３】
2020198242.tif 000005
【図４】
2020198242.tif 000006